(57)【要約】【課題】  【解決手段】ユーザ機器は、隣接セルに対するダウンリンク測定を実行するが、ターゲット・セルの（測定期間／サンプリング／確度等に関する）測定性能は、ターゲット・セルと参照セルとの相対的な性能差に依存する。参照セルは、サービング・セルであっても最も強いセルであってもよい。したがって、ネットワークは、重要なセルの測定性能を低下させずに必要とされる数のターゲット・セルを追跡することが可能となる。一方、ＵＥは、ＤＲＸを十分に利用しながら、それ自体のバッテリーを可能な限り節約することができる。【選択図】  図１
2010538555.tif 000002
【特許請求の範囲】
【請求項１】
無線ネットワーク・ノードにおいて、ユーザ機器が第１のセルに対してダウンリンク測定を実行すべきかどうかを判定することが可能となる測定閾値を前記ユーザ機器にシグナリングする方法であって、
１つ又は複数の相対閾値であって、前記ユーザ機器が前記相対閾値を使用して、前記第１のセルのダウンリンク品質又はダウンリンク信号強度と第２のセルとを比較することにより、前記第１のセルのダウンリンク測定アクティビティ・レベルを判定することが可能となるような前記相対閾値を、前記ユーザ機器にシグナリングするステップ
を含むことを特徴とする方法。
【請求項２】
前記第１のセルは、ＵＥがダウンリンク測定の実行を企図するターゲット・セルである、請求項１に記載の方法。
【請求項３】
前記第２のセルは、ＵＥが現在キャンプ・オンしている又は接続されているサービング・セルである、請求項１又は２に記載の方法。
【請求項４】
前記第２のセルは、既知の参照信号のダウンリンク受信品質又は信号強度の点で最良のセルである、請求項１又は２に記載の方法。
【請求項５】
前記無線ネットワーク・ノードは、無線基地局である、請求項１乃至４のいずれかに記載の方法。
【請求項６】
前記無線ネットワーク・ノードは、無線ネットワーク・コントローラである、請求項１乃至４のいずれかに記載の方法。
【請求項７】
前記相対閾値は、ブロードキャスト・チャネルを介して前記ユーザ機器に送信される、請求項１乃至６のいずれかに記載の方法。
【請求項８】
前記相対閾値は、ＵＥ固有のチャネルを介して前記ユーザ機器に送信される、請求項１乃至６のいずれか一項に記載の方法。
【請求項９】
前記相対閾値は、アイドル・モードの前記ユーザ機器に送信される、請求項１乃至７のいずれか一項に記載の方法。
【請求項１０】
前記相対閾値は、アクティブ・モードの前記ユーザ機器に送信される、請求項１乃至８のいずれか一項に記載の方法。
【請求項１１】
２つの前記セルのダウンリンク品質を比較する前記相対閾値は、任意の既知の参照信号のダウンリンク信号強度、ダウンリンク信号品質、任意の既知の参照信号のＳＩＮＲ又はＢＥＲ、セル識別遅延、のうちの１つ又は複数に対応する、請求項１乃至１０のいずれかに記載の方法。
【請求項１２】
前記参照信号は、共通パイロット・シーケンスである、請求項１１に記載の方法。
【請求項１３】
前記参照信号は、同期シーケンスである、請求項１１に記載の方法。
【請求項１４】
前記相対閾値は、信号レベル閾値である、請求項１乃至１３のいずれか一項に記載の方法。
【請求項１５】
前記相対閾値は、マルチ・レベル閾値である、請求項１乃至１３のいずれかに記載の方法。
【請求項１６】
前記ＵＥが通常の強度又は高い強度でダウンリンク測定を実行することが可能な最大隣接セル数を表すパラメータを前記ユーザ機器にシグナリングするステップを更に含む、請求項１に記載の方法。
【請求項１７】
ユーザ機器において、無線ネットワークから測定閾値を受信し、それらの測定閾値を使用して第１のセルに対してダウンリンク測定を実行すべきかどうかを判定する方法であって、
前記無線ネットワークから２つのセル間のダウンリンク品質の差に対応する１つ又は複数の相対閾値を受信するステップと、
前記相対閾値を使用して、前記第１のセルのダウンリンク品質又は信号強度と第２のセルのダウンリンク品質又は信号強度とを比較することにより、前記第１のセルのダウンリンク測定アクティビティ・レベルを判定するステップと、
前記ＵＥが通常の強度又は高い強度でダウンリンク測定を実行することが可能な最大隣接セル数を表すパラメータを受信するステップと、
を含むことを特徴とする方法。
【請求項１８】
前記第１のセルは、ＵＥがダウンリンク測定の実行を企図するターゲット・セルである、請求項１７に記載の方法。
【請求項１９】
前記第２のセルは、ＵＥが現在キャンプ・オンしている又は接続されているサービング・セルである、請求項１７又は１８に記載の方法。
【請求項２０】
前記第２のセルは、既知の参照信号のダウンリンク受信品質又は信号強度の点で最良のセルである、請求項１７又は１８に記載の方法。
【請求項２１】
前記相対閾値は、ブロードキャスト・チャネルを介して前記ユーザ機器によって受信される、請求項１７乃至２０のいずれかに記載の方法。
【請求項２２】
前記相対閾値は、ＵＥ固有のチャネルを介して前記ユーザ機器によって受信される、請求項１７乃至２０のいずれかに記載の方法。
【請求項２３】
前記相対閾値は、アイドル・モードの前記ユーザ機器によって受信される、請求項１７乃至２２のいずれかに記載の方法。
【請求項２４】
前記相対閾値は、アクティブ・モードの前記ユーザ機器によって受信される、請求項１７乃至２２のいずれかに記載の方法。
【請求項２５】
２つの前記セルのダウンリンク品質又は信号強度を比較するために前記ユーザ機器によって受信される前記相対閾値は、任意の既知の参照信号のダウンリンク信号強度、ダウンリンク信号品質、任意の既知の参照信号のＳＩＮＲ又はＢＥＲ、セル識別遅延、のうちの１つ又は複数に対応する、請求項１７乃至２４のいずれかに記載の方法。
【請求項２６】
前記ＵＥは、共通パイロット・シーケンスを前記参照信号として使用する、請求項２５に記載の方法。
【請求項２７】
前記ＵＥは、同期シーケンスを前記参照信号として使用する、請求項２５に記載の方法。
【請求項２８】
前記ＵＥは、請求項２５に記載の基準のうちの１つ又は複数を使用して前記第１のセルの前記測定アクティビティ・レベルを判定する、請求項１７乃至２７のいずれかに記載の方法。
【請求項２９】
前記ＵＥは、前記相対閾値をシングル・レベル閾値として受信する、請求項１７乃至２８のいずれかに記載の方法。
【請求項３０】
前記ＵＥは、前記相対閾値をマルチ・レベル閾値として受信する、請求項１７乃至２７のいずれかに記載の方法。
【請求項３１】
前記ＵＥは、前記第１のセルのダウンリンク品質又は信号強度が前記第２のセルのダウンリンク品質又は信号強度よりも請求項２５で定義される基準のうちの少なくとも１つに対応する前記相対閾値だけ低い場合は、前記第１のセルの測定アクティビティを低下させる、請求項１７乃至３０のいずれかに記載の方法。
【請求項３２】
前記ＵＥは、前記第１のセルのダウンリンク品質が前記第２のセルのダウンリンク品質と等しい場合、又は前記第２のセルのダウンリンク品質よりも請求項２５で定義される基準のうちの少なくとも１つに対応する前記相対閾値だけ高い場合は、前記第１のセルの通常の測定アクティビティに復帰する、請求項１７乃至３０のいずれか一項に記載の方法。
【請求項３３】
前記第１のセルについて低下される前記測定アクティビティ・レベルは、通常の測定アクティビティ・レベルの場合と比較して、相対的に長い測定期間の隣接セル測定量、相対的に長いセル識別遅延、相対的に粗い確度の隣接セル測定量、のうちの１つ又は複数に対応する、請求項１７乃至３１のいずれかに記載の方法。
【請求項３４】
ユーザ機器が第１のセルに対して測定を実行すべきかどうかを判定することが可能となる測定閾値を前記ユーザ機器にシグナリングするように適合された無線ネットワーク・ノードであって、請求項１乃至１６のいずれか一項に記載の方法を実行する手段を備えることを特徴とする無線ネットワーク・ノード。
【請求項３５】
無線ネットワークから測定閾値を受信し、それらの測定閾値を使用して第１のセルに対してダウンリンク測定を実行すべきかどうかを判定するように適合されたユーザ機器であって、請求項１７乃至３３のいずれか一項に記載の方法を実行する手段を備えることを特徴とするユーザ機器。
【請求項３６】
セルラー電気通信システムのユーザ機器においてダウンリンク測定を実行する方法であって、
前記セルラー・システムの複数の各ターゲット・セル毎に、
前記ターゲット・セルと参照セルとの相対的な性能差を判定するステップと、
前記ターゲット・セルと前記参照セルとの前記相対的な性能差に基づいて、前記ターゲット・セルのダウンリンク測定性能を設定するステップと、
を含む方法。
【請求項３７】
前記参照セルは、サービング・セルである、請求項３６に記載の方法。
【請求項３８】
前記参照セルは、最も強いセルである、請求項３６に記載の方法。
【請求項３９】
前記ターゲット・セルと前記参照セルとの相対的な性能差を判定する前記ステップは、前記性能差が閾値を超えるかどうかを判定するステップを含む、請求項３６に記載の方法。
【請求項４０】
前記閾値を、前記セルラー通信システムのネットワーク・ノードからのシグナリングの際に受信するステップを更に含む、請求項３９に記載の方法。
【請求項４１】
前記閾値は、前記ユーザ機器に記憶される、請求項３９に記載の方法。
【請求項４２】
前記ターゲット・セルの前記ダウンリンク測定性能は、測定を実行する測定期間を含む、請求項３６に記載の方法。
【請求項４３】
請求項３６乃至４２のいずれか一項に記載の方法に係る測定を実行するように適合されたユーザ機器。
【発明の詳細な説明】
【技術分野】
【０００１】
本発明は、移動通信システムにおける方法及び構成に関し、特に、相対閾値に基づく隣接セル測定アクティビティに関する。
【背景技術】
【０００２】
ユニバーサル地上無線アクセス・ネットワーク（ＵＴＲＡＮ）及び進化型ＵＴＲＡＮ（Ｅ‐ＵＴＲＡＮ）におけるセル再選択及びハンドオーバを含むモビリティ決定は、ユーザ機器（ＵＥ）によって実行されるダウンリンク測定を利用する。したがって、良好なＵＥモビリティ性能を保証するために、ＵＥは、ダウンリンク測定品質の点で最良となるいくつかのセルを測定し追跡することが可能である必要がある。
【０００３】
ＵＴＲＡＮでは、アクティブ・モードのＵＥは、第３世代パートナーシップ・プロジェクト（３ＧＰＰ）の発行文書である3GPP TS 25.133, "Requirements for support of radio resource management (FDD)"で規定される最低性能要件を満足しながら、少なくとも８つのセル（１つのサービングセルと７つの隣接セル）のダウンリンク品質の測定（即ち、ＣＰＩＣＨ測定）及び報告を行うことが可能である必要がある。Ｅ‐ＵＴＲＡＮで使用される測定性能要件は、ＵＴＲＡＮの場合と同様であることが予想され、この要件は、3GPP TS 36.801, "Evolved Universal Terrestrial Radio Access (E-UTRA); Measurement Requirements"で規定される可能性が最も高い。
【０００４】
基本的には２種類のモビリティが識別され得るが、いずれのモビリティ決定も、以下でより詳細に論じるように、主として同じ種類のダウンリンク測定に基づく。
ａ）アイドル・モード・モビリティは、主としてＵＥのサービング・セルが介入しないＵＥの自律的機能であるセル再選択を含む。しかしながら、このモビリティ・シナリオでも、ブロードキャストされるいくつかのシステム・パラメータ及び性能規定によってＵＥの挙動をある程度制御することが可能である。
ｂ）接続モード・モビリティは、明示的なＵＥ固有のコマンド及び性能規定を利用してネットワークによって完全に制御されるハンドオーバを含む。しかしながら、この場合のハンドオーバ決定は、ＵＥの測定レポートに大きく依存する。
【０００５】
ＵＴＲＡＮ及びＥ‐ＵＴＲＡＮは、周波数リユース１システム、即ち、地理的に最も近い隣接セルが同じ搬送波周波数で動作するシステムである。運営者は、同じカバー・エリア内に複数の周波数レイヤを配備することも可能である。したがって、ＵＴＲＡＮとＥ‐ＵＴＲＡＮのいずれのアイドル・モード・モビリティ及び接続モード・モビリティも、広義には以下の３つの主要カテゴリに分類され得る。
●周波数内（intra-frequency）モビリティ（アイドル・モード及び接続モード）：周波数内モビリティでは、ＵＥは、同じ搬送波周波数に属するセル間を移動する。周波数内モビリティは、遅延に起因するコストが低い故に、最も重要なモビリティ・シナリオである。また、運営者は、少なくとも１つの搬送波を自由且つ効率的に利用することができる。
●周波数間（inter-frequency）モビリティ（アイドル・モード及び接続モード）：周波数間モビリティでは、ＵＥは、異なる搬送波周波数に属するが同じアクセス技術のセル間を移動する。周波数間モビリティは、２番目に重要なシナリオと見なすことができる。
●ＲＡＴ間（inter-RAT）モビリティ（アイドル・モード及び接続モード）：ＲＡＴ間モビリティでは、ＵＥは、異なるアクセス技術に属するセル間、例えばＵＴＲＡＮからＧＳＭ又はその逆に移動する。
【０００６】
ＵＴＲＡＮでは、主にモビリティの理由から以下の３つのダウンリンク品質測定が規定される（3GPP TS 25.215, "Physical layer measurements (FDD)"参照）：ＣＰＩＣＨ  ＲＳＣＰ、ＣＰＩＣＨ  Ｅｃ／Ｎｏ、及びＵＴＲＡ搬送波ＲＳＳＩ。上記の測定の最初の２つは、ＵＥがセル・レベル・ベースで共通パイロット・チャネル（ＣＰＩＣＨ）に関して実行する。ＵＴＲＡ搬送波ＲＳＳＩは、搬送波全体で測定される。上記のＣＰＩＣＨ測定は、モビリティ決定で使用される主要な量である。
【０００７】
Ｅ‐ＵＴＲＡＮでは、主にモビリティの理由から以下の３つのダウンリンク品質測定が規定される（3GPP TS 36.214 "Evolved Universal Terrestrial Radio Access (E-UTRA); Physical layer measurements"参照）：参照シンボル受信電力（Reference Symbol Received Power:RSRP）、参照シンボル受信品質（Reference Symbol Received Quality:RSRQ）、及びＥ‐ＵＴＲＡ搬送波ＲＳＳＩ。上記の測定の最初の２つは、ＵＥがセル・レベル・ベースで参照シンボルに関して実行する。Ｅ‐ＵＴＲＡ搬送波ＲＳＳＩは、ＵＴＲＡＮの場合と同様に搬送波全体で測定される。これらの２つのＲＳベース測定も、実際にモビリティ決定で使用される可能性が高い主要な量である。
【０００８】
良好なモビリティ性能を保証するために、ダウンリンク品質測定における測定性能のいくつかの側面が規定されており、これらの規定は、ＵＥが少なくとも以下の要件を満たすことを保証する最低要件をカバーする。
●対応する同期及びＣＰＩＣＨ信号の所与の受信レベルにおける未知のセルの識別遅延。周波数内セルの場合、最大遅延は８００ｍｓ。
●ＵＥがＣＰＩＣＨ測定値を指定された測定絶対確度及び測定相対確度で報告することが想定される最小識別セル数（Ｎ＝８、即ち１つのサービング・セルと７つの隣接セルを含む）。
●少なくとも８つのセルの指定された測定確度が２００ｍｓの測定期間で満足されること。
【０００９】
これらの標準化された最低要件を満足するために、また、様々な無線状態が存在する故に、ＵＥは、隣接セルの識別及び測定を定期的に行う必要がある。このような測定プロセスのスケジューリングは、標準化されているわけではなく、ＵＥ実装環境に固有である。ハードウェア・コストを制限し、バッテリー切れを防止するために、ＵＥは、典型的には様々なタイプの測定に関する測定サンプルをいくつかの周期的な間隔で収集することができる。
【００１０】
アイドル・モードでは、ＵＥは、主としてページング時に（即ち、ＤＲＸサイクルの終了時の起動時点で）測定を実行する。したがって、アイドル・モードの測定サンプリング・レートは、接続モードのシナリオに比べてかなり低くなる。そのため、アイドル・モードの測定性能は接続モードのそれよりもずっと粗くなるが、アイドル・モードでは、ＵＥが電力を節約することが可能となる。更に、アイドル・モードにおけるモビリティ性能は、測定性能の影響を受けるため、接続モードよりも低需要である必要がある。
【００１１】
３ＧＰＰ規格のリリース７では、接続モード（より具体的にはＣＥＬＬ＿ＤＣＨ状態）における間欠受信（discontinuous reception:DRX）と呼ばれる新しい機能が規定されている。この機能を用いると、ＵＥは、ＤＲＸサイクルに従って周期的な時点でのみ起動されることから、接続状態を維持しながらそれ自体のバッテリーを節約することが可能となる。しかしながら、ＤＲＸ機能によると、ＵＥは、測定サンプルを主として起動時点で収集することになる。それ故、ＤＲＸモードでは測定要件が緩和されている。したがって、アクティブ・モードのＤＲＸは、モビリティ性能に対して何らかの悪影響を及ぼす可能性がある。ＵＥの省電力化を実現するには一定のレベルの性能低下が避けられないが、そのレベルは、一定の最低サービス品質が保証可能なレベルに制限されるべきである。
【発明の概要】
【発明が解決しようとする課題】
【００１２】
本発明は、上述の既存の測定に関連する課題を解決する。非ＤＲＸシナリオの測定に関して、ＵＥは、ＤＲＸを用いない接続モードの基本的な周波数内モビリティ・シナリオでは、すべての所望のセル（即ち、ＵＴＲＡＮでは８つのセル）に対するダウンリンク測定を同じ強度で実行する。つまり、各セルの受信品質に関わらず、すべてのセルで同じ測定性能（例えば測定遅延、セル識別遅延、測定確度等）が達成される。一方、これによってＵＥの処理は増大することになるが、いくつかのシナリオでは、セルのサブセットについて性能を改善すれば十分である可能性もある。そのような場合は、ＵＥの処理を最小限に抑えることができる。ＤＲＸシナリオの測定に関して、ＵＥがアクティブ時間の間だけ測定を行う場合には、モビリティ関連測定の測定性能は、非ＤＲＸシナリオの場合よりも低くなる。性能低下は、実際に使用されるＤＲＸサイクルに依存する。例えば、ＤＲＸ動作の故に測定期間が延長され、そのため測定レポート遅延も長くなる可能性があるが、その結果、ＵＥの測定レポートを利用してハンドオーバを実行する基地局のハンドオーバ決定を遅延させる恐れがある。したがって、アクティブ・モードでは、不必要な呼損を防止するために、これらの測定の性能低下は最小限に抑えられるべきである。
【００１３】
測定の性能低下を最小限に抑える従来技術の解決策がいくつか存在する。しかしながら、これらの解決策の主な制約は、モビリティ性能で重要となるサービング・セルとターゲット／隣接セルとの相対的な性能差が考慮されないことである。これまでに以下の方法が提案されている。
【００１４】
セル数の減少：１つの解決策は、ＵＥがＤＲＸモードで測定することになるセル数を単純に減少させることである。例えば、測定セル数は、非ＤＲＸでは８であるが、ＤＲＸでは４となる。これにより、ＵＥがサンプリングを必要とするセル数が少なくなるので、測定遅延が低減される。この解決策の主な欠点は、ＵＥが必要とされるよりも少ない数のセルしか追跡しないことである。無線状態は急激に変化する可能性があり、それによってセルの状態が改善することも悪化することもある。この理由から、ＵＥは、所望の数のすべてのセル、例えばＵＴＲＡＮでは８つのすべてのセルを測定することが妥当である。
【００１５】
より高いＳＣＨ及びＣＰＩＣＨ受信レベルを有するセルの測定：現在合意されている解決策は、そのセルの同期チャネル（ＳＣＨ）及び共通パイロット・チャネル（ＣＰＩＣＨ）上の最低受信レベルがかなり高い（例えば、ＤＲＸの場合よりも３ｄＢ高い）場合に、ＤＲＸにおけるＵＥが非ＤＲＸの場合と同じ数のセルに対して測定を実行することである。したがって、セルの平均強度が相対的に高くなるため、測定遅延が幾分低減される。
【００１６】
測定に基づく絶対閾値：ネットワークは、ＣＰＩＣＨ  Ｅｃ／Ｉｏ又はＣＰＩＣＨ  ＲＳＣＰレベルに関する絶対閾値をＵＥに提供する。サービング・セルから受信されるＣＰＩＣＨ  Ｅｃ／Ｎｏ及び／又はＣＰＩＣＨ  ＲＳＣＰがこれらのシグナリングされる閾値を上回る限り、ＵＥは、他の周波数内セルを測定する必要はない。この条件が満たされなくなったときに、ＵＥは他の隣接セルの測定を開始する。アイドル・モードでも、ＵＥのバッテリーを節約するために同様のメカニズムが使用される。ＵＴＲＡＮにおけるアイドル・モードとアクティブ・モードの１つの差異は、アイドル・モードでは、ＵＥが復号化で使用するセルが１つだけであるのに対し、アクティブ・モードでは、ＵＥがソフト・ハンドオーバの際に複数のセルからチャネルを受信する可能性がある点である。そのため、ＵＥがアクティブ・モードの２つ以上のセルを追跡することが重要となる。更に、アクティブ・モードでは呼損のリスクがある故に、対応する測定量が閾値を下回るまでＵＥがサービング・セルのみに対して測定を実行することは、実現可能でない。
【００１７】
絶対閾値及び測定アクティビティに基づく測定：この測定は、上述の方式の改良として説明される。このアイデアは、ネットワークがＣＰＩＣＨ  Ｅｃ／Ｎｏ及び／又はＣＰＩＣＨ  ＲＳＣＰの絶対閾値及び何らかの測定アクティビティ係数をシグナリングするというものである。後者のパラメータは、アクティブ・セット内の最も強い監視対象セルのＣＰＩＣＨ  Ｅｃ／Ｉｏ及び／又はＣＰＩＣＨ  ＲＳＣＰ受信レベルに応じて測定アクティビティ（例えばセル識別時間や測定期間等）をスケーリングするのに使用される。ＵＥは、サービング・セルの受信レベルに応じた様々なアクティビティ・レベルでターゲット・セルを測定する。１つの欠点は、ＵＥの測定頻度が必然的に高くなり、ＵＥをＤＲＸ長の非アクティブ時間の間も起動する必要が生じ得ることである。これによってＵＥのバッテリーが消耗し、その結果ＤＲＸ動作の利点が損なわれる。
【００１８】
セル境界領域における連続モード（非ＤＲＸ）への切り替え：ＵＴＲＡＮ規格では、アクティブ・モードのネットワークが低レベルのシグナリングを利用して、ＵＥをＤＲＸモードと非ＤＲＸモードの間で迅速に切り替えることが可能となる。そのため、測定プロセスを高速化する１つの可能な解決策は、ＵＥがセル境界領域に入ったときに非ＤＲＸモード（又はごく短いＤＲＸサイクル）に復帰させることである。ネットワークは、ＵＥから報告されたダウンリンク・チャネル品質（例えばＣＰＩＣＨレベル）をある閾値と比較することにより、そのＵＥがセル境界領域に所在するか否かを判定することができる。典型的には、２５〜３５％のユーザがセル境界領域で動作する。そのため、この手法では、平均６５〜７５％のＵＥしかＤＲＸを維持することができない。ＵＥがＤＲＸを十分に利用することができないため、この手法は、ＵＥのバッテリー節約の観点から望ましくない。
【図面の簡単な説明】
【００１９】
【図１】本発明に係るセルラー通信ネットワークを示す図である。
【図２】本発明の一態様に係る第１の方法を示すフローチャートである。
【図３】本発明の一態様に係る第２の方法を示すフローチャートである。
【発明を実施するための形態】
【００２０】
図１は、本発明に従って動作するセルラー通信ネットワークの概略図である。
【００２１】
ネットワーク・カバー・エリアは、セル１０、１２、１４、１６、１８、２０、２２等に分割される。ユーザ機器（ＵＥ）２４は、セル１２内に位置し、当該セル内の基地局（ｅＮｏｄｅ  Ｂ）２６と通信する。したがって、ｅＮｏｄｅ  Ｂ  ２６は、当該ＵＥにとってのサービング・セルとなる。よく知られるように、ＵＥは、潜在的な隣接セルを識別するために他のセルから受信される信号の測定を実行しなければならない。本明細書では主に、本発明をロング・ターム・エボリューション（ＬＴＥ）・ネットワークに関して説明するが、本発明は他の様々なネットワークに適用され得ることが理解されるだろう。
【００２２】
図２は、無線ネットワーク・ノードで実行される本発明に係る第１の方法を示すフローチャートである。
【００２３】
ステップ５０で、無線ネットワーク・ノードは、ＵＥがアイドル・モードにあるのかそれともアクティブ・モードにあるのかを判定する。ステップ５２で、無線ネットワーク・ノードは、１つ又は複数の相対閾値をＵＥにシグナリングする。以下、これらのステップについてより詳細に説明する。
【００２４】
図３は、ユーザ機器で実行される本発明に係る第２の方法を示すフローチャートである。
【００２５】
ステップ６０で、ＵＥは、本方法で使用される相対閾値を決定する。以下でより詳細に説明するいくつかの実施形態では、無線ネットワーク・ノードからＵＥに１つ又は複数の相対閾値がシグナリングされる。一方、他の実施形態では、１つ又は複数の相対閾値は、何らかの標準に基づいてプレコーディングされる固定値とすることができ、したがってＵＥにシグナリングする必要はない。この場合は、ステップ６０で閾値をメモリから検索するだけでよい。ステップ６２で、ＵＥは、ＵＥが通常の強度又は高い強度で測定を実行し得る最大隣接セル数を表すパラメータを受信する。ステップ６４で、ＵＥは、第１のターゲット・セルと第２の参照セルとを比較する。ステップ６６で、ＵＥは、第１のセルで使用すべきダウンリンク測定アクティビティを決定する。以下、これらのステップについてより詳細に説明する。
【００２６】
本発明の基本的な概念は、ＵＥが隣接セルに対してダウンリンク測定を実行するが、それらの（測定期間／サンプリング／確度等に関する）測定性能はサービング・セルとターゲット・セルとの相対的な性能差に依存する、というものである。本発明の他の実施形態は、サービング・セルが必ずしも最も強いセルである必要はなく、したがって、ターゲット・セルの測定性能は最も強いセルとターゲット・セルとの相対的な性能差に依存することを考慮する。
【００２７】
本発明は、ネットワークが重要なセルの測定性能を低下させずに必要とされる数のターゲット・セルを追跡することが可能となる利点をもたらす。一方、ＵＥは、ＤＲＸを十分に利用しながら、それ自体のバッテリーを可能な限り節約することができる。したがって、本発明の一利点は、適度に良好なセル変更性能又はハンドオーバ性能が維持されることである。
【００２８】
測定アクティビティ・レベルは、ネットワークからシグナリングされる相対閾値によって決定される。相対閾値は、例えば測定量（ＵＴＲＡＮではＣＰＩＣＨ  Ｅｃ／Ｎｏ、Ｅ‐ＵＴＲＡＮではＲＳＲＱ等）、ＳＣＨ受信レベル、セル識別遅延等に関して表現され得る。
【００２９】
特定のセルに対する測定の測定アクティビティは、ＵＥによってサービング・セルとの比較が行われた後に決定される。したがって、ネットワークは、ＵＥによるセル間の比較で使用され得る少なくとも１つの相対閾値をシグナリングする。ＵＥは、すべてのセル（サービング・セル及び隣接セル）又はそれらのサブセットに対して測定を実行する。しかしながら、測定アクティビティは、サービング・セルとターゲット・セルの測定量の差と、相対閾値との大小関係に依存する。
【００３０】
相対閾値は、ＵＥによるセル間の比較で使用される測定量を決定する。換言すると、相対閾値は比較基準を決定する。かかる閾値は、例えば以下のパラメータのうちの１つ又は複数を利用して表現することができる。
●隣接セル測定レベル（例えばＵＴＲＡＮではＲＳＣＰ及び／又はＥｃ／Ｎｏ、Ｅ‐ＵＴＲＡＮではＲＳＲＰ及び／又はＲＳＲＱ）；
●ＳＣＨ受信レベル（例えば、ＳＣＨ  ＳＩＮＲ、ＢＥＲ、又は受信信号強度）；
●任意の既知のパイロット又は参照シンボル上の受信レベル；
●セル識別遅延。
【００３１】
閾値は、隣接レベル測定に基づく値とすることができる。最新のシステムでは、ＣＰＩＣＨ  Ｅｃ／Ｎｏ又はＣＰＩＣＨ  ＲＳＣＰレベルに関する絶対閾値もシグナリングされる。したがって、想定される本発明の一実施形態では、ＵＥが各セルのＣＰＩＣＨレベル（又はＥ‐ＵＴＲＡＮではＲＳＲＰ／ＲＳＲＱ）を測定することによってセルの判定を行い、測定差と相対閾値との比較を行う。本発明の他の実施形態によれば、この比較は、上述の基準のうちの１つ又は複数に従って行うことができる。更に、上記の相対閾値は、それぞれシングル・レベルとすることもマルチ・レベル（Ｍ）とすることもできる。前者の手法では、ネットワークが１つの基準につき１つの閾値だけをシグナリングするので、２つのレベル（通常レベル又は高／低レベル）の測定アクティビティが得られる一方、後者の手法では、ネットワークが１つの基準につき複数の相対閾値をシグナリングするので、ＵＥは、複数（即ち、Ｍの閾値に対してＭ＋１）の測定アクティビティ・レベルを提供する必要がある。
【００３２】
ネットワークは、ＵＥが相対閾値に基づいてセル間の比較を行う必要が生じる頻度（即ち、比較の周期）を指定することも可能である。この頻度は、シグナリングされるパラメータであることも、例えばフレーム数、ＤＲＸサイクル数、又は一定の固定継続時間によって指定されることもある。
【００３３】
上記の閾値及び他の関連パラメータ（例えばセル間の比較周期）は、最新の方法では無線リソース制御（ＲＲＣ）又は任意の適切なより高いレイヤのシグナリングを使用してシグナリングされ得る。閾値は、ブロードキャスト・チャネルを介してすべてのＵＥにシグナリングすることも、ＵＥ固有の制御チャネルを介して特定のＵＥにシグナリングすることも可能である。更に、アイドル・モード及びアクティブ・モードでは、同じ基準に関して様々な閾値が使用される可能性がある。
【００３４】
ＵＴＲＡＮでは、無線ネットワーク・コントローラ（ＲＮＣ）内に無線リソース制御（ＲＲＣ）機能が存在するため、無線ネットワーク・コントローラがこれらの閾値のシグナリングを制御するが、Ｅ‐ＵＴＲＡＮでは、これらの閾値は基地局（即ち、ｅＮｏｄｅ  Ｂ）によってシグナリングされる。原理上、測定アクティビティが相対閾値に従って変化する場合は、測定性能の以下の側面に影響が及ぶ可能性がある。
●測定量の測定期間；
●測定量の相対確度及び絶対確度；
●セルの識別遅延。
【００３５】
パラメータの測定期間と測定確度をトレードすることが可能である。例えば、測定確度は、測定期間中にＵＥによって取得される測定サンプル数に大きく依存する。したがって、ＵＥが十分な数の測定サンプルを収集することが可能であることを条件として、（通常のアクティビティで達成可能な測定確度と）同じ測定確度を単純に測定期間を延長することによって維持することも可能となる。更に、ＵＥは、通常動作で使用されるセルと同じ数（例えば８つ）のセルのダウンリンク測定を実行することもできる。このようにして、ＵＥは、いくつかのより弱いセルのサンプリング頻度が低くなることを除いて、必要とされる数のすべてのセルを追跡することが可能となる。
【００３６】
特定のターゲット・セルに関するＵＥの測定アクティビティは、当該ターゲット・セルと参照セルとの相対的な性能差に基づいて行われる。広義には２つの可能性、即ち、サービング・セルとの比較又は最良のセルとの比較が考えられる。参照セルがサービング・セルである場合は、ＵＥは常に、先に概説した基準のうちの１つ又は複数を使用してターゲット・セルとサービング・セルとを比較する。この比較に基づいて、ＵＥは、ターゲット・セルを同じ強度で測定すべきかそれともより低い強度で測定すべきかを決定する。この方法は、サービング・セルが最も強いセルであるか否かに関わらず、ＵＥが常にそのサービング・セルを十分な強度又は高い強度でサンプリングすることを保証する。一例として、信号品質（Ｅ‐ＵＴＲＡＮではＲＳＲＱ、ＵＴＲＡＮではＣＰＩＣＨ  Ｅｃ／Ｎｏ）と信号強度（例えばＥ‐ＵＴＲＡＮではＲＳＲＰ、ＵＴＲＡＮではＲＳＣＰ）の両方を使用して測定アクティビティが決定されるものと仮定する。更に、ＲＳＲＱ（又はＣＰＩＣＨ  Ｅｃ／Ｎｏ）及びＲＳＲＰ（又はＲＳＣＰ）のそれぞれについてシングル・レベルの相対閾値、即ち、α及びβだけが存在するものとする。この場合、ＵＥは、ターゲット・セルとサービング・セルＳの測定量の一方又は両方の差が対応する閾値を下回る場合は、ターゲット・セルＫの測定頻度を低くする（その結果ダウンリンク測定性能は粗くなる）。即ち、
ＩＦ（ＱＫ−ＱＳ≦α）ＯＰＥＲＡＴＯＲ（ＰＫ−ＰＳ≦β）
ＴＨＥＮ（その場合は）ターゲット・セルＫに対する測定アクティビティを低下させ、
ＥＬＳＥ（そうでなければ）ターゲット・セルＫを通常のアクティビティで測定する。
但し、Ｑは、Ｅ‐ＵＴＲＡＮのＲＳＲＱ、及びＵＴＲＡＮのＣＰＩＣＨ  Ｅｃ／Ｎｏを示し、Ｐは、Ｅ‐ＵＴＲＡＮのＲＳＲＰ、及びＵＴＲＡＮのＲＳＣＰを示す。「ＯＰＥＲＡＴＯＲ」という用語は、Ｅ‐ＵＴＲＡＮとＵＴＲＡＮの両方に関する一構成では「ＡＮＤ」、Ｅ‐ＵＴＲＡＮ及びＵＴＲＡＮの両方に関する一代替構成では「ＯＲ」と定義され得る。本発明のまた別の実施形態では、ＵＥは、上記のアルゴリズムで一方の測定量（Ｑ又はＰ）だけを使用してターゲット・セルの測定アクティビティ・レベルを決定する。
【００３７】
参照セルが最良のセルである場合は、ＵＥは常に、ターゲット・セルを最良のセルと比較する。但し、最良のセルは、必ずしも常にサービング・セルでなくてもよい。上述のとおり、ＵＥは、先に概説した基準のうちの１つ又は複数を使用する。この比較に基づいて、ＵＥは、ターゲット・セルを同じ強度で測定すべきかそれともより低い強度で測定すべきかを決定する。一例として、信号品質（Ｅ‐ＵＴＲＡＮではＲＳＲＱ、ＵＴＲＡＮではＣＰＩＣＨ  Ｅｃ／Ｎｏ）と信号強度（例えばＥ‐ＵＴＲＡＮではＲＳＲＰ、ＵＴＲＡＮではＲＳＣＰ）の両方を使用して測定アクティビティが決定されるものと仮定する。更に、ＲＳＲＱ（又はＣＰＩＣＨ  Ｅｃ／Ｎｏ）及びＲＳＲＰ（又はＲＳＣＰ）のそれぞれについてシングル・レベルの相対閾値、即ち、α及びβだけが存在するものとする。この場合、ＵＥは、ターゲット・セルと最良のセルＢの測定量の一方又はいずれかの差が対応する閾値を下回る場合は、ターゲット・セルＫの測定頻度を低くする（その結果ダウンリンク測定性能は粗くなる）。
【００３８】
即ち、
ＩＦ（ＱＫ−ＱＢ≦α）ＯＰＥＲＡＴＯＲ（ＰＫ−ＰＢ≦β）
ＴＨＥＮ（その場合は）ターゲット・セルＫに対する測定アクティビティを低下させ、
ＥＬＳＥ（そうでなければ）ターゲット・セルＫを通常のアクティビティで測定する。
シンボルＱ、Ｐ、及びＯＰＥＲＡＴＯＲの意味は、上記の例と同じである。
【００３９】
測定されたすべてのターゲット・セル（Ｎ）がサービング・セル／最良のセルと比較して良好であることが相対閾値によって判定される状況が発生する可能性もある。つまり、そのようなシナリオでは、ＵＥは、それらのすべてのセルを高い強度又は通常の強度で測定せざるを得なくなる。大部分のシナリオでは、ハンドオーバを実行するのに十分な数の良好なセルが存在するので、ＵＥは、そのようなすべてのセルを同じ強度で測定する必要はない。このような状況を防止するために、高い強度で測定すべき最大セル（Ｌ）と呼ばれるもう１つのパラメータを導入することができる。このパラメータは、ＵＥが最大Ｌ（Ｌ＜Ｎ）個のセルを通常の強度又は高い強度で測定する必要があることを意味する。但し、Ｎは、測定対象となる識別セルの最小数（又は総数）である。Ｎがシグナリングされないときのデフォルト値は、Ｌ＝Ｎである。この場合も、Ｎの値は、標準で固定とすることができる。それ故、Ｎの値は、シグナリングする必要がなくなるようにＵＥに記憶することができる。
【００４０】
以上、あるセルとサービング・セル、又はサービング・セルよりも良好な別のセルとの比較に基づいて当該セル内のダウンリンク測定アクティビティを判定することが可能となるシステムについて説明した。
【図１】
2010538555.tif 000003
【図２】
2010538555.tif 000004
【図３】
2010538555.tif 000005
【手続補正書】
【提出日】平成21年10月8日(2009.10.8)
【手続補正１】
【補正対象書類名】明細書
【補正対象項目名】全文
【補正方法】変更
【補正の内容】
【発明の詳細な説明】
【技術分野】
【０００１】
本発明は、移動通信システムにおける方法及び構成に関し、特に、相対閾値に基づく隣接セル測定アクティビティに関する。
【背景技術】
【０００２】
ユニバーサル地上無線アクセス・ネットワーク（ＵＴＲＡＮ）及び進化型ＵＴＲＡＮ（Ｅ‐ＵＴＲＡＮ）におけるセル再選択及びハンドオーバを含むモビリティ決定は、ユーザ機器（ＵＥ）によって実行されるダウンリンク測定を利用する。したがって、良好なＵＥモビリティ性能を保証するために、ＵＥは、ダウンリンク測定品質の点で最良となるいくつかのセルを測定し追跡することが可能である必要がある。
【０００３】
ＵＴＲＡＮでは、アクティブ・モードのＵＥは、第３世代パートナーシップ・プロジェクト（３ＧＰＰ）の発行文書である3GPP TS 25.133, "Requirements for support of radio resource management (FDD)"で規定される最低性能要件を満足しながら、少なくとも８つのセル（１つのサービングセルと７つの隣接セル）のダウンリンク品質の測定（即ち、ＣＰＩＣＨ測定）及び報告を行うことが可能である必要がある。Ｅ‐ＵＴＲＡＮで使用される測定性能要件は、ＵＴＲＡＮの場合と同様であることが予想され、この要件は、3GPP TS 36.801, "Evolved Universal Terrestrial Radio Access (E-UTRA); Measurement Requirements"で規定される可能性が最も高い。
【０００４】
基本的には２種類のモビリティが識別され得るが、いずれのモビリティ決定も、以下でより詳細に論じるように、主として同じ種類のダウンリンク測定に基づく。
ａ）アイドル・モード・モビリティは、主としてＵＥのサービング・セルが介入しないＵＥの自律的機能であるセル再選択を含む。しかしながら、このモビリティ・シナリオでも、ブロードキャストされるいくつかのシステム・パラメータ及び性能規定によってＵＥの挙動をある程度制御することが可能である。
ｂ）接続モード・モビリティは、明示的なＵＥ固有のコマンド及び性能規定を利用してネットワークによって完全に制御されるハンドオーバを含む。しかしながら、この場合のハンドオーバ決定は、ＵＥの測定レポートに大きく依存する。
【０００５】
ＵＴＲＡＮ及びＥ‐ＵＴＲＡＮは、周波数リユース１システム、即ち、地理的に最も近い隣接セルが同じ搬送波周波数で動作するシステムである。運営者は、同じカバー・エリア内に複数の周波数レイヤを配備することも可能である。したがって、ＵＴＲＡＮとＥ‐ＵＴＲＡＮのいずれのアイドル・モード・モビリティ及び接続モード・モビリティも、広義には以下の３つの主要カテゴリに分類され得る。
●周波数内（intra-frequency）モビリティ（アイドル・モード及び接続モード）：周波数内モビリティでは、ＵＥは、同じ搬送波周波数に属するセル間を移動する。周波数内モビリティは、遅延に起因するコストが低い故に、最も重要なモビリティ・シナリオである。また、運営者は、少なくとも１つの搬送波を自由且つ効率的に利用することができる。
●周波数間（inter-frequency）モビリティ（アイドル・モード及び接続モード）：周波数間モビリティでは、ＵＥは、異なる搬送波周波数に属するが同じアクセス技術のセル間を移動する。周波数間モビリティは、２番目に重要なシナリオと見なすことができる。
●ＲＡＴ間（inter-RAT）モビリティ（アイドル・モード及び接続モード）：ＲＡＴ間モビリティでは、ＵＥは、異なるアクセス技術に属するセル間、例えばＵＴＲＡＮからＧＳＭ又はその逆に移動する。
【０００６】
ＵＴＲＡＮでは、主にモビリティの理由から以下の３つのダウンリンク品質測定が規定される（3GPP TS 25.215, "Physical layer measurements (FDD)"参照）：ＣＰＩＣＨ  ＲＳＣＰ、ＣＰＩＣＨ  Ｅｃ／Ｎｏ、及びＵＴＲＡ搬送波ＲＳＳＩ。上記の測定の最初の２つは、ＵＥがセル・レベル・ベースで共通パイロット・チャネル（ＣＰＩＣＨ）に関して実行する。ＵＴＲＡ搬送波ＲＳＳＩは、搬送波全体で測定される。上記のＣＰＩＣＨ測定は、モビリティ決定で使用される主要な量である。
【０００７】
Ｅ‐ＵＴＲＡＮでは、主にモビリティの理由から以下の３つのダウンリンク品質測定が規定される（3GPP TS 36.214 "Evolved Universal Terrestrial Radio Access (E-UTRA); Physical layer measurements"参照）：参照シンボル受信電力（Reference Symbol Received Power:RSRP）、参照シンボル受信品質（Reference Symbol Received Quality:RSRQ）、及びＥ‐ＵＴＲＡ搬送波ＲＳＳＩ。上記の測定の最初の２つは、ＵＥがセル・レベル・ベースで参照シンボルに関して実行する。Ｅ‐ＵＴＲＡ搬送波ＲＳＳＩは、ＵＴＲＡＮの場合と同様に搬送波全体で測定される。これらの２つのＲＳベース測定も、実際にモビリティ決定で使用される可能性が高い主要な量である。
【０００８】
良好なモビリティ性能を保証するために、ダウンリンク品質測定における測定性能のいくつかの側面が規定されており、これらの規定は、ＵＥが少なくとも以下の要件を満たすことを保証する最低要件をカバーする。
●対応する同期及びＣＰＩＣＨ信号の所与の受信レベルにおける未知のセルの識別遅延。周波数内セルの場合、最大遅延は８００ｍｓ。
●ＵＥがＣＰＩＣＨ測定値を指定された測定絶対確度及び測定相対確度で報告することが想定される最小識別セル数（Ｎ＝８、即ち１つのサービング・セルと７つの隣接セルを含む）。
●少なくとも８つのセルの指定された測定確度が２００ｍｓの測定期間で満足されること。
【０００９】
これらの標準化された最低要件を満足するために、また、様々な無線状態が存在する故に、ＵＥは、隣接セルの識別及び測定を定期的に行う必要がある。このような測定プロセスのスケジューリングは、標準化されているわけではなく、ＵＥ実装環境に固有である。ハードウェア・コストを制限し、バッテリー切れを防止するために、ＵＥは、典型的には様々なタイプの測定に関する測定サンプルをいくつかの周期的な間隔で収集することができる。
【００１０】
アイドル・モードでは、ＵＥは、主としてページング時に（即ち、ＤＲＸサイクルの終了時の起動時点で）測定を実行する。したがって、アイドル・モードの測定サンプリング・レートは、接続モードのシナリオに比べてかなり低くなる。そのため、アイドル・モードの測定性能は接続モードのそれよりもずっと粗くなるが、アイドル・モードでは、ＵＥが電力を節約することが可能となる。更に、アイドル・モードにおけるモビリティ性能は、測定性能の影響を受けるため、接続モードよりも低需要である必要がある。
【００１１】
３ＧＰＰ規格のリリース７では、接続モード（より具体的にはＣＥＬＬ＿ＤＣＨ状態）における間欠受信（discontinuous reception:DRX）と呼ばれる新しい機能が規定されている。この機能を用いると、ＵＥは、ＤＲＸサイクルに従って周期的な時点でのみ起動されることから、接続状態を維持しながらそれ自体のバッテリーを節約することが可能となる。しかしながら、ＤＲＸ機能によると、ＵＥは、測定サンプルを主として起動時点で収集することになる。それ故、ＤＲＸモードでは測定要件が緩和されている。したがって、アクティブ・モードのＤＲＸは、モビリティ性能に対して何らかの悪影響を及ぼす可能性がある。ＵＥの省電力化を実現するには一定のレベルの性能低下が避けられないが、そのレベルは、一定の最低サービス品質が保証可能なレベルに制限されるべきである。
【発明の概要】
【発明が解決しようとする課題】
【００１２】
本発明は、上述の既存の測定に関連する課題を解決する。非ＤＲＸシナリオの測定に関して、ＵＥは、ＤＲＸを用いない接続モードの基本的な周波数内モビリティ・シナリオでは、すべての所望のセル（即ち、ＵＴＲＡＮでは８つのセル）に対するダウンリンク測定を同じ強度で実行する。つまり、各セルの受信品質に関わらず、すべてのセルで同じ測定性能（例えば測定遅延、セル識別遅延、測定確度等）が達成される。一方、これによってＵＥの処理は増大することになるが、いくつかのシナリオでは、セルのサブセットについて性能を改善すれば十分である可能性もある。そのような場合は、ＵＥの処理を最小限に抑えることができる。ＤＲＸシナリオの測定に関して、ＵＥがアクティブ時間の間だけ測定を行う場合には、モビリティ関連測定の測定性能は、非ＤＲＸシナリオの場合よりも低くなる。性能低下は、実際に使用されるＤＲＸサイクルに依存する。例えば、ＤＲＸ動作の故に測定期間が延長され、そのため測定レポート遅延も長くなる可能性があるが、その結果、ＵＥの測定レポートを利用してハンドオーバを実行する基地局のハンドオーバ決定を遅延させる恐れがある。したがって、アクティブ・モードでは、不必要な呼損を防止するために、これらの測定の性能低下は最小限に抑えられるべきである。
【００１３】
測定の性能低下を最小限に抑える従来技術の解決策がいくつか存在する。しかしながら、これらの解決策の主な制約は、モビリティ性能で重要となるサービング・セルとターゲット／隣接セルとの相対的な性能差が考慮されないことである。これまでに以下の方法が提案されている。
【００１４】
セル数の減少：１つの解決策は、ＵＥがＤＲＸモードで測定することになるセル数を単純に減少させることである。例えば、測定セル数は、非ＤＲＸでは８であるが、ＤＲＸでは４となる。これにより、ＵＥがサンプリングを必要とするセル数が少なくなるので、測定遅延が低減される。この解決策の主な欠点は、ＵＥが必要とされるよりも少ない数のセルしか追跡しないことである。無線状態は急激に変化する可能性があり、それによってセルの状態が改善することも悪化することもある。この理由から、ＵＥは、所望の数のすべてのセル、例えばＵＴＲＡＮでは８つのすべてのセルを測定することが妥当である。
【００１５】
より高いＳＣＨ及びＣＰＩＣＨ受信レベルを有するセルの測定：現在合意されている解決策は、そのセルの同期チャネル（ＳＣＨ）及び共通パイロット・チャネル（ＣＰＩＣＨ）上の最低受信レベルがかなり高い（例えば、ＤＲＸの場合よりも３ｄＢ高い）場合に、ＤＲＸにおけるＵＥが非ＤＲＸの場合と同じ数のセルに対して測定を実行することである。したがって、セルの平均強度が相対的に高くなるため、測定遅延が幾分低減される。
【００１６】
測定に基づく絶対閾値：ネットワークは、ＣＰＩＣＨ  Ｅｃ／Ｉｏ又はＣＰＩＣＨ  ＲＳＣＰレベルに関する絶対閾値をＵＥに提供する。サービング・セルから受信されるＣＰＩＣＨ  Ｅｃ／Ｎｏ及び／又はＣＰＩＣＨ  ＲＳＣＰがこれらのシグナリングされる閾値を上回る限り、ＵＥは、他の周波数内セルを測定する必要はない。この条件が満たされなくなったときに、ＵＥは他の隣接セルの測定を開始する。アイドル・モードでも、ＵＥのバッテリーを節約するために同様のメカニズムが使用される。ＵＴＲＡＮにおけるアイドル・モードとアクティブ・モードの１つの差異は、アイドル・モードでは、ＵＥが復号化で使用するセルが１つだけであるのに対し、アクティブ・モードでは、ＵＥがソフト・ハンドオーバの際に複数のセルからチャネルを受信する可能性がある点である。そのため、ＵＥがアクティブ・モードの２つ以上のセルを追跡することが重要となる。更に、アクティブ・モードでは呼損のリスクがある故に、対応する測定量が閾値を下回るまでＵＥがサービング・セルのみに対して測定を実行することは、実現可能でない。
【００１７】
絶対閾値及び測定アクティビティに基づく測定：この測定は、上述の方式の改良として説明される。このアイデアは、ネットワークがＣＰＩＣＨ  Ｅｃ／Ｎｏ及び／又はＣＰＩＣＨ  ＲＳＣＰの絶対閾値及び何らかの測定アクティビティ係数をシグナリングするというものである。後者のパラメータは、アクティブ・セット内の最も強い監視対象セルのＣＰＩＣＨ  Ｅｃ／Ｉｏ及び／又はＣＰＩＣＨ  ＲＳＣＰ受信レベルに応じて測定アクティビティ（例えばセル識別時間や測定期間等）をスケーリングするのに使用される。ＵＥは、サービング・セルの受信レベルに応じた様々なアクティビティ・レベルでターゲット・セルを測定する。１つの欠点は、ＵＥの測定頻度が必然的に高くなり、ＵＥをＤＲＸ長の非アクティブ時間の間も起動する必要が生じ得ることである。これによってＵＥのバッテリーが消耗し、その結果ＤＲＸ動作の利点が損なわれる。
【００１８】
セル境界領域における連続モード（非ＤＲＸ）への切り替え：ＵＴＲＡＮ規格では、アクティブ・モードのネットワークが低レベルのシグナリングを利用して、ＵＥをＤＲＸモードと非ＤＲＸモードの間で迅速に切り替えることが可能となる。そのため、測定プロセスを高速化する１つの可能な解決策は、ＵＥがセル境界領域に入ったときに非ＤＲＸモード（又はごく短いＤＲＸサイクル）に復帰させることである。ネットワークは、ＵＥから報告されたダウンリンク・チャネル品質（例えばＣＰＩＣＨレベル）をある閾値と比較することにより、そのＵＥがセル境界領域に所在するか否かを判定することができる。典型的には、２５〜３５％のユーザがセル境界領域で動作する。そのため、この手法では、平均６５〜７５％のＵＥしかＤＲＸを維持することができない。ＵＥがＤＲＸを十分に利用することができないため、この手法は、ＵＥのバッテリー節約の観点から望ましくない。
【００１９】
国際特許出願公開第ＷＯ０１／１９１００号には、通信ユニットのサービング・サイトの信号品質を使用して当該通信ユニットの隣接サイト測定特性が判定される、隣接サイト測定実行方法が開示されている。
【００２０】
Senarath G等の論文（"Adaptive Handoff Algorithms Using Absolute and Relative Thresholds for Cellular Mobile Communications Systems", IEEE 1998, VTC '98, pages 1603-1607）には、不必要なハンドオフを識別し防止する適応的相対閾値アルゴリズムと、この適応的相対閾値アルゴリズムと共に使用される絶対閾値アルゴリズムとが開示されている。
【課題を解決するための手段】
【００２１】
本発明は、無線ネットワーク・ノードにおいて、ユーザ機器がターゲット・セルに対してダウンリンク測定を実行すべきかどうかを判定することが可能となるようにするための測定閾値を前記ユーザ機器にシグナリングする方法を提供する。前記方法は、１つ又は複数の相対閾値であって、前記ユーザ機器が前記相対閾値を使用して、前記ターゲット・セルの測定量と参照セルの測定量とを比較することにより、前記ターゲット・セルのダウンリンク測定アクティビティ・レベルを判定することが可能となるような前記相対閾値を、前記ユーザ機器にシグナリングするステップを含むことを特徴とする。
【００２２】
別の態様では、本発明は、ユーザ機器において、ターゲット・セルに対してダウンリンク測定を実行すべきかどうかを判定する方法を提供する。前記方法は、無線ネットワークから前記ターゲット・セルと参照セルとの相対的な性能差に対応する１つ又は複数の相対閾値を受信するステップと、前記相対閾値を使用して、前記ターゲット・セルの測定量と前記参照セルの測定量とを比較することにより、前記ターゲット・セルのダウンリンク測定アクティビティ・レベルを判定するステップと、を含むことを特徴とする。
【００２３】
他の態様では、本発明は、セルラー電気通信システムのユーザ機器においてダウンリンク測定を実行する方法を提供する。前記方法は、前記セルラー・システムの複数の各ターゲット・セル毎に、前記ターゲット・セルと参照セルとの相対的な性能差を判定するステップと、前記ターゲット・セルと前記参照セルとの前記相対的な性能差に基づいて、前記ターゲット・セルのダウンリンク測定アクティビティ・レベルを設定するステップと、を含むことを特徴とする。
【００２４】
このようにすれば、ユーザ機器は、ＤＲＸを十分に利用しながら、それ自体のバッテリーを可能な限り節約できる可能性がある。
【図面の簡単な説明】
【００２５】
【図１】本発明に係るセルラー通信ネットワークを示す図である。
【図２】本発明の一態様に係る第１の方法を示すフローチャートである。
【図３】本発明の一態様に係る第２の方法を示すフローチャートである。
【発明を実施するための形態】
【００２６】
図１は、本発明に従って動作するセルラー通信ネットワークの概略図である。
【００２７】
ネットワーク・カバー・エリアは、セル１０、１２、１４、１６、１８、２０、２２等に分割される。ユーザ機器（ＵＥ）２４は、セル１２内に位置し、当該セル内の基地局（ｅＮｏｄｅ  Ｂ）２６と通信する。したがって、ｅＮｏｄｅ  Ｂ  ２６は、当該ＵＥにとってのサービング・セルとなる。よく知られるように、ＵＥは、潜在的な隣接セルを識別するために他のセルから受信される信号の測定を実行しなければならない。本明細書では主に、本発明をロング・ターム・エボリューション（ＬＴＥ）・ネットワークに関して説明するが、本発明は他の様々なネットワークに適用され得ることが理解されるだろう。
【００２８】
図２は、無線ネットワーク・ノードで実行される本発明に係る第１の方法を示すフローチャートである。
【００２９】
ステップ５０で、無線ネットワーク・ノードは、ＵＥがアイドル・モードにあるのかそれともアクティブ・モードにあるのかを判定する。ステップ５２で、無線ネットワーク・ノードは、１つ又は複数の相対閾値をＵＥにシグナリングする。以下、これらのステップについてより詳細に説明する。
【００３０】
図３は、ユーザ機器で実行される本発明に係る第２の方法を示すフローチャートである。
【００３１】
ステップ６０で、ＵＥは、本方法で使用される相対閾値を決定する。以下でより詳細に説明するいくつかの実施形態では、無線ネットワーク・ノードからＵＥに１つ又は複数の相対閾値がシグナリングされる。一方、他の実施形態では、１つ又は複数の相対閾値は、何らかの標準に基づいてプレコーディングされる固定値とすることができ、したがってＵＥにシグナリングする必要はない。この場合は、ステップ６０で閾値をメモリから検索するだけでよい。ステップ６２で、ＵＥは、ＵＥが通常の強度又は高い強度で測定を実行し得る最大隣接セル数を表すパラメータを受信する。ステップ６４で、ＵＥは、第１のターゲット・セルと第２の参照セルとを比較する。ステップ６６で、ＵＥは、第１のセルで使用すべきダウンリンク測定アクティビティを決定する。以下、これらのステップについてより詳細に説明する。
【００３２】
本発明の基本的な概念は、ＵＥが隣接セルに対してダウンリンク測定を実行するが、それらの（測定期間／サンプリング／確度等に関する）測定性能はサービング・セルとターゲット・セルとの相対的な性能差に依存する、というものである。本発明の他の実施形態は、サービング・セルが必ずしも最も強いセルである必要はなく、したがって、ターゲット・セルの測定性能は最も強いセルとターゲット・セルとの相対的な性能差に依存することを考慮する。
【００３３】
本発明は、ネットワークが重要なセルの測定性能を低下させずに必要とされる数のターゲット・セルを追跡することが可能となる利点をもたらす。一方、ＵＥは、ＤＲＸを十分に利用しながら、それ自体のバッテリーを可能な限り節約することができる。したがって、本発明の一利点は、適度に良好なセル変更性能又はハンドオーバ性能が維持されることである。
【００３４】
測定アクティビティ・レベルは、ネットワークからシグナリングされる相対閾値によって決定される。相対閾値は、例えば測定量（ＵＴＲＡＮではＣＰＩＣＨ  Ｅｃ／Ｎｏ、Ｅ‐ＵＴＲＡＮではＲＳＲＱ等）、ＳＣＨ受信レベル、セル識別遅延等に関して表現され得る。
【００３５】
特定のセルに対する測定の測定アクティビティは、ＵＥによってサービング・セルとの比較が行われた後に決定される。したがって、ネットワークは、ＵＥによるセル間の比較で使用され得る少なくとも１つの相対閾値をシグナリングする。ＵＥは、すべてのセル（サービング・セル及び隣接セル）又はそれらのサブセットに対して測定を実行する。しかしながら、測定アクティビティは、サービング・セルとターゲット・セルの測定量の差と、相対閾値との大小関係に依存する。
【００３６】
相対閾値は、ＵＥによるセル間の比較で使用される測定量を決定する。換言すると、相対閾値は比較基準を決定する。かかる閾値は、例えば以下のパラメータのうちの１つ又は複数を利用して表現することができる。
●隣接セル測定レベル（例えばＵＴＲＡＮではＲＳＣＰ及び／又はＥｃ／Ｎｏ、Ｅ‐ＵＴＲＡＮではＲＳＲＰ及び／又はＲＳＲＱ）；
●ＳＣＨ受信レベル（例えば、ＳＣＨ  ＳＩＮＲ、ＢＥＲ、又は受信信号強度）；
●任意の既知のパイロット又は参照シンボル上の受信レベル；
●セル識別遅延。
【００３７】
閾値は、隣接レベル測定に基づく値とすることができる。最新のシステムでは、ＣＰＩＣＨ  Ｅｃ／Ｎｏ又はＣＰＩＣＨ  ＲＳＣＰレベルに関する絶対閾値もシグナリングされる。したがって、想定される本発明の一実施形態では、ＵＥが各セルのＣＰＩＣＨレベル（又はＥ‐ＵＴＲＡＮではＲＳＲＰ／ＲＳＲＱ）を測定することによってセルの判定を行い、測定差と相対閾値との比較を行う。本発明の他の実施形態によれば、この比較は、上述の基準のうちの１つ又は複数に従って行うことができる。更に、上記の相対閾値は、それぞれシングル・レベルとすることもマルチ・レベル（Ｍ）とすることもできる。前者の手法では、ネットワークが１つの基準につき１つの閾値だけをシグナリングするので、２つのレベル（通常レベル又は高／低レベル）の測定アクティビティが得られる一方、後者の手法では、ネットワークが１つの基準につき複数の相対閾値をシグナリングするので、ＵＥは、複数（即ち、Ｍの閾値に対してＭ＋１）の測定アクティビティ・レベルを提供する必要がある。
【００３８】
ネットワークは、ＵＥが相対閾値に基づいてセル間の比較を行う必要が生じる頻度（即ち、比較の周期）を指定することも可能である。この頻度は、シグナリングされるパラメータであることも、例えばフレーム数、ＤＲＸサイクル数、又は一定の固定継続時間によって指定されることもある。
【００３９】
上記の閾値及び他の関連パラメータ（例えばセル間の比較周期）は、最新の方法では無線リソース制御（ＲＲＣ）又は任意の適切なより高いレイヤのシグナリングを使用してシグナリングされ得る。閾値は、ブロードキャスト・チャネルを介してすべてのＵＥにシグナリングすることも、ＵＥ固有の制御チャネルを介して特定のＵＥにシグナリングすることも可能である。更に、アイドル・モード及びアクティブ・モードでは、同じ基準に関して様々な閾値が使用される可能性がある。
【００４０】
ＵＴＲＡＮでは、無線ネットワーク・コントローラ（ＲＮＣ）内に無線リソース制御（ＲＲＣ）機能が存在するため、無線ネットワーク・コントローラがこれらの閾値のシグナリングを制御するが、Ｅ‐ＵＴＲＡＮでは、これらの閾値は基地局（即ち、ｅＮｏｄｅ  Ｂ）によってシグナリングされる。原理上、測定アクティビティが相対閾値に従って変化する場合は、測定性能の以下の側面に影響が及ぶ可能性がある。
●測定量の測定期間；
●測定量の相対確度及び絶対確度；
●セルの識別遅延。
【００４１】
パラメータの測定期間と測定確度をトレードすることが可能である。例えば、測定確度は、測定期間中にＵＥによって取得される測定サンプル数に大きく依存する。したがって、ＵＥが十分な数の測定サンプルを収集することが可能であることを条件として、（通常のアクティビティで達成可能な測定確度と）同じ測定確度を単純に測定期間を延長することによって維持することも可能となる。更に、ＵＥは、通常動作で使用されるセルと同じ数（例えば８つ）のセルのダウンリンク測定を実行することもできる。このようにして、ＵＥは、いくつかのより弱いセルのサンプリング頻度が低くなることを除いて、必要とされる数のすべてのセルを追跡することが可能となる。
【００４２】
特定のターゲット・セルに関するＵＥの測定アクティビティは、当該ターゲット・セルと参照セルとの相対的な性能差に基づいて行われる。広義には２つの可能性、即ち、サービング・セルとの比較又は最良のセルとの比較が考えられる。参照セルがサービング・セルである場合は、ＵＥは常に、先に概説した基準のうちの１つ又は複数を使用してターゲット・セルとサービング・セルとを比較する。この比較に基づいて、ＵＥは、ターゲット・セルを同じ強度で測定すべきかそれともより低い強度で測定すべきかを決定する。この方法は、サービング・セルが最も強いセルであるか否かに関わらず、ＵＥが常にそのサービング・セルを十分な強度又は高い強度でサンプリングすることを保証する。一例として、信号品質（Ｅ‐ＵＴＲＡＮではＲＳＲＱ、ＵＴＲＡＮではＣＰＩＣＨ  Ｅｃ／Ｎｏ）と信号強度（例えばＥ‐ＵＴＲＡＮではＲＳＲＰ、ＵＴＲＡＮではＲＳＣＰ）の両方を使用して測定アクティビティが決定されるものと仮定する。更に、ＲＳＲＱ（又はＣＰＩＣＨ  Ｅｃ／Ｎｏ）及びＲＳＲＰ（又はＲＳＣＰ）のそれぞれについてシングル・レベルの相対閾値、即ち、α及びβだけが存在するものとする。この場合、ＵＥは、ターゲット・セルとサービング・セルＳの測定量の一方又は両方の差が対応する閾値を下回る場合は、ターゲット・セルＫの測定頻度を低くする（その結果ダウンリンク測定性能は粗くなる）。即ち、
ＩＦ（ＱＫ−ＱＳ≦α）ＯＰＥＲＡＴＯＲ（ＰＫ−ＰＳ≦β）
ＴＨＥＮ（その場合は）ターゲット・セルＫに対する測定アクティビティを低下させ、
ＥＬＳＥ（そうでなければ）ターゲット・セルＫを通常のアクティビティで測定する。
但し、Ｑは、Ｅ‐ＵＴＲＡＮのＲＳＲＱ、及びＵＴＲＡＮのＣＰＩＣＨ  Ｅｃ／Ｎｏを示し、Ｐは、Ｅ‐ＵＴＲＡＮのＲＳＲＰ、及びＵＴＲＡＮのＲＳＣＰを示す。「ＯＰＥＲＡＴＯＲ」という用語は、Ｅ‐ＵＴＲＡＮとＵＴＲＡＮの両方に関する一構成では「ＡＮＤ」、Ｅ‐ＵＴＲＡＮ及びＵＴＲＡＮの両方に関する一代替構成では「ＯＲ」と定義され得る。本発明のまた別の実施形態では、ＵＥは、上記のアルゴリズムで一方の測定量（Ｑ又はＰ）だけを使用してターゲット・セルの測定アクティビティ・レベルを決定する。
【００４３】
参照セルが最良のセルである場合は、ＵＥは常に、ターゲット・セルを最良のセルと比較する。但し、最良のセルは、必ずしも常にサービング・セルでなくてもよい。上述のとおり、ＵＥは、先に概説した基準のうちの１つ又は複数を使用する。この比較に基づいて、ＵＥは、ターゲット・セルを同じ強度で測定すべきかそれともより低い強度で測定すべきかを決定する。一例として、信号品質（Ｅ‐ＵＴＲＡＮではＲＳＲＱ、ＵＴＲＡＮではＣＰＩＣＨ  Ｅｃ／Ｎｏ）と信号強度（例えばＥ‐ＵＴＲＡＮではＲＳＲＰ、ＵＴＲＡＮではＲＳＣＰ）の両方を使用して測定アクティビティが決定されるものと仮定する。更に、ＲＳＲＱ（又はＣＰＩＣＨ  Ｅｃ／Ｎｏ）及びＲＳＲＰ（又はＲＳＣＰ）のそれぞれについてシングル・レベルの相対閾値、即ち、α及びβだけが存在するものとする。この場合、ＵＥは、ターゲット・セルと最良のセルＢの測定量の一方又はいずれかの差が対応する閾値を下回る場合は、ターゲット・セルＫの測定頻度を低くする（その結果ダウンリンク測定性能は粗くなる）。
【００４４】
即ち、
ＩＦ（ＱＫ−ＱＢ≦α）ＯＰＥＲＡＴＯＲ（ＰＫ−ＰＢ≦β）
ＴＨＥＮ（その場合は）ターゲット・セルＫに対する測定アクティビティを低下させ、
ＥＬＳＥ（そうでなければ）ターゲット・セルＫを通常のアクティビティで測定する。
シンボルＱ、Ｐ、及びＯＰＥＲＡＴＯＲの意味は、上記の例と同じである。
【００４５】
測定されたすべてのターゲット・セル（Ｎ）がサービング・セル／最良のセルと比較して良好であることが相対閾値によって判定される状況が発生する可能性もある。つまり、そのようなシナリオでは、ＵＥは、それらのすべてのセルを高い強度又は通常の強度で測定せざるを得なくなる。大部分のシナリオでは、ハンドオーバを実行するのに十分な数の良好なセルが存在するので、ＵＥは、そのようなすべてのセルを同じ強度で測定する必要はない。このような状況を防止するために、高い強度で測定すべき最大セル（Ｌ）と呼ばれるもう１つのパラメータを導入することができる。このパラメータは、ＵＥが最大Ｌ（Ｌ＜Ｎ）個のセルを通常の強度又は高い強度で測定する必要があることを意味する。但し、Ｎは、測定対象となる識別セルの最小数（又は総数）である。Ｎがシグナリングされないときのデフォルト値は、Ｌ＝Ｎである。この場合も、Ｎの値は、標準で固定とすることができる。それ故、Ｎの値は、シグナリングする必要がなくなるようにＵＥに記憶することができる。
【００４６】
以上、あるセルとサービング・セル、又はサービング・セルよりも良好な別のセルとの比較に基づいて当該セル内のダウンリンク測定アクティビティを判定することが可能となるシステムについて説明した。 
【手続補正２】
【補正対象書類名】特許請求の範囲
【補正対象項目名】全文
【補正方法】変更
【補正の内容】
【特許請求の範囲】
【請求項１】
無線ネットワーク・ノードにおいて、ユーザ機器（２４）がターゲット・セルに対してダウンリンク測定を実行すべきかどうかを判定することが可能となるようにするための測定閾値を前記ユーザ機器にシグナリングする方法であって、
１つ又は複数の相対閾値であって、前記ユーザ機器（２４）が前記相対閾値を使用して、前記ターゲット・セルの測定量と参照セルの測定量とを比較することにより、前記ターゲット・セルのダウンリンク測定アクティビティ・レベルを判定することが可能となるような前記相対閾値を、前記ユーザ機器にシグナリングするステップ（５２）を含むことを特徴とする方法。
【請求項２】
前記参照セルは、前記ユーザ機器（２４）が現在キャンプ・オンしている又は接続されているサービング・セル（１２）である、請求項１に記載の方法。
【請求項３】
前記参照セルは、既知の参照信号のダウンリンク品質又は信号強度の点で最良のセルである、請求項１に記載の方法。
【請求項４】
前記無線ネットワーク・ノードは、無線基地局（２６）である、請求項１乃至３のいずれかに記載の方法。
【請求項５】
前記無線ネットワーク・ノードは、無線ネットワーク・コントローラである、請求項１乃至３のいずれかに記載の方法。
【請求項６】
前記相対閾値は、ブロードキャスト・チャネルを介して前記ユーザ機器（２４）に送信される、請求項１乃至５のいずれかに記載の方法。
【請求項７】
前記相対閾値は、ユーザ機器固有のチャネルを介して前記ユーザ機器（２４）に送信される、請求項１乃至５のいずれか一項に記載の方法。
【請求項８】
前記相対閾値は、アイドル・モードの前記ユーザ機器（２４）に送信される、請求項１乃至６のいずれか一項に記載の方法。
【請求項９】
前記相対閾値は、アクティブ・モードの前記ユーザ機器（２４）に送信される、請求項１乃至７のいずれか一項に記載の方法。
【請求項１０】
２つの前記セルの測定量を比較する前記相対閾値は、任意の既知の参照信号のダウンリンク信号強度、ダウンリンク信号品質、任意の既知の参照信号のＳＩＮＲ又はＢＥＲ、セル識別遅延、のうちの１つ又は複数に対応する、請求項１乃至９のいずれかに記載の方法。
【請求項１１】
前記参照信号は、共通パイロット・シーケンスである、請求項１０に記載の方法。
【請求項１２】
前記参照信号は、同期シーケンスである、請求項１０に記載の方法。
【請求項１３】
前記１つ又は複数の相対閾値は、信号レベル閾値である、請求項１乃至１２のいずれかに記載の方法。
【請求項１４】
前記１つ又は複数の相対閾値は、マルチ・レベル閾値である、請求項１乃至１２のいずれかに記載の方法。
【請求項１５】
前記ユーザ機器が通常の強度又は高い強度でダウンリンク測定を実行することが可能な最大隣接セル数を表すパラメータを前記ユーザ機器にシグナリングするステップを更に含む、請求項１に記載の方法。
【請求項１６】
ユーザ機器（２４）において、ターゲット・セルに対してダウンリンク測定を実行すべきかどうかを判定する方法であって、
無線ネットワークから前記ターゲット・セルと参照セルとの相対的な性能差に対応する１つ又は複数の相対閾値を受信するステップ（６０）と、
前記相対閾値を使用して、前記ターゲット・セルの測定量と前記参照セルの測定量とを比較することにより、前記ターゲット・セルのダウンリンク測定アクティビティ・レベルを判定するステップ（６４）と、
を含むことを特徴とする方法。
【請求項１７】
前記参照セルは、前記ユーザ機器（２４）が現在キャンプ・オンしている又は接続されているサービング・セル（１２）である、請求項１６に記載の方法。
【請求項１８】
前記参照セルは、既知の参照信号のダウンリンク品質又は信号強度の点で最良のセルである、請求項１６に記載の方法。
【請求項１９】
前記相対閾値は、ブロードキャスト・チャネルを介して前記ユーザ機器（２４）によって受信される、請求項１６乃至１８のいずれかに記載の方法。
【請求項２０】
前記相対閾値は、ユーザ機器固有のチャネルを介して前記ユーザ機器（２４）によって受信される、請求項１６乃至１８のいずれかに記載の方法。
【請求項２１】
前記相対閾値は、アイドル・モードの前記ユーザ機器（２４）によって受信される、請求項１６乃至２０のいずれかに記載の方法。
【請求項２２】
前記相対閾値は、アクティブ・モードの前記ユーザ機器（２４）によって受信される、請求項１６乃至２０のいずれかに記載の方法。
【請求項２３】
２つの前記セルの測定量を比較するために前記ユーザ機器（２４）によって受信される前記相対閾値は、任意の既知の参照信号のダウンリンク信号強度、ダウンリンク信号品質、任意の既知の参照信号のＳＩＮＲ又はＢＥＲ、セル識別遅延、のうちの１つ又は複数に対応する、請求項１６乃至２２のいずれかに記載の方法。
【請求項２４】
前記ユーザ機器（２４）は、共通パイロット・シーケンスを前記参照信号として使用する、請求項２３に記載の方法。
【請求項２５】
前記ユーザ機器（２４）は、同期シーケンスを前記参照信号として使用する、請求項２３に記載の方法。
【請求項２６】
前記ユーザ機器（２４）は、任意の既知の参照信号のダウンリンク信号強度、ダウンリンク信号品質、任意の既知の参照信号のＳＩＮＲ又はＢＥＲ、セル識別遅延、のうちの１つ又は複数を使用して前記ターゲット・セルの前記ダウンリンク測定アクティビティ・レベルを判定する、請求項１６乃至２５のいずれかに記載の方法。
【請求項２７】
前記ユーザ機器（２４）は、前記１つ又は複数の相対閾値をシングル・レベル閾値として受信する、請求項１６乃至２６のいずれかに記載の方法。
【請求項２８】
前記ユーザ機器（２４）は、前記１つ又は複数の相対閾値をマルチ・レベル閾値として受信する、請求項１６乃至２５のいずれかに記載の方法。
【請求項２９】
前記ユーザ機器（２４）は、比較された前記ターゲット・セルの測定量が前記参照セルの測定量よりも前記相対閾値だけ低い場合は、前記ターゲット・セルの前記ダウンリンク測定アクティビティ・レベルを低下させる、請求項１６乃至２８のいずれかに記載の方法。
【請求項３０】
前記ユーザ機器（２４）は、比較された前記ターゲット・セルの測定量が前記参照セルの測定量と等しい場合、又は前記参照セルの測定量よりも前記相対閾値だけ高い場合は、前記ターゲット・セルの通常のダウンリンク測定アクティビティ・レベルに復帰する、請求項１６乃至２８のいずれか一項に記載の方法。
【請求項３１】
前記ターゲット・セルについて低下される前記ダウンリンク測定アクティビティ・レベルは、通常の測定アクティビティ・レベルの場合と比較して、相対的に長い測定期間の隣接セル測定量、相対的に長いセル識別遅延、相対的に粗い確度の隣接セル測定量、のうちの１つ又は複数に対応する、請求項２９に記載の方法。
【請求項３２】
前記ユーザ機器が通常の強度又は高い強度でダウンリンク測定を実行することが可能な最大隣接セル数を表すパラメータを受信するステップ（６２）を更に含む、請求項１６乃至３１のいずれかに記載の方法。
【請求項３３】
ユーザ機器がターゲット・セルに対してダウンリンク測定を実行すべきかどうかを判定することが可能となるようにするための測定閾値を前記ユーザ機器にシグナリングするように適合された無線ネットワーク・ノードであって、請求項１乃至１５のいずれか一項に記載の方法を実行する手段を備える無線ネットワーク・ノード。
【請求項３４】
無線ネットワークから測定閾値を受信し、それらの測定閾値を使用してターゲット・セルに対してダウンリンク測定を実行すべきかどうかを判定するように適合されたユーザ機器（２４）であって、請求項１６乃至３２のいずれか一項に記載の方法を実行する手段を備えるユーザ機器。
【請求項３５】
セルラー電気通信システムのユーザ機器においてダウンリンク測定を実行する方法であって、
前記セルラー・システムの複数の各ターゲット・セル毎に、
前記ターゲット・セルと参照セルとの相対的な性能差を判定するステップと、
前記ターゲット・セルと前記参照セルとの前記相対的な性能差に基づいて、前記ターゲット・セルのダウンリンク測定アクティビティ・レベルを設定するステップと、
を含むことを特徴とする方法。
【請求項３６】
前記参照セルは、サービング・セルである、請求項３５に記載の方法。
【請求項３７】
前記参照セルは、最も強いセルである、請求項３５に記載の方法。
【請求項３８】
前記ターゲット・セルと前記参照セルとの相対的な性能差を判定する前記ステップは、前記性能差が閾値を超えるかどうかを判定するステップを含む、請求項３５に記載の方法。
【請求項３９】
前記閾値を、前記セルラー通信システムのネットワーク・ノードからのシグナリングの際に受信するステップを更に含む、請求項３８に記載の方法。
【請求項４０】
前記閾値は、前記ユーザ機器に記憶される、請求項３８に記載の方法。
【請求項４１】
前記ターゲット・セルの前記ダウンリンク測定アクティビティ・レベルは、測定を実行する測定期間を含む、請求項３５に記載の方法。
【請求項４２】
請求項３５乃至４１のいずれか一項に記載の方法に係るダウンリンク測定を実行するように適合されたユーザ機器。
【手続補正書】
【提出日】平成22年4月13日(2010.4.13)
【手続補正１】
【補正対象書類名】特許請求の範囲
【補正対象項目名】全文
【補正方法】変更
【補正の内容】
【特許請求の範囲】
【請求項１】
無線ネットワーク・ノードにおいて、ユーザ機器（２４）がターゲット・セルに対してダウンリンク測定を実行すべきかどうかを判定することが可能となるようにするための測定閾値を前記ユーザ機器にシグナリングする方法であって、
１つ又は複数の相対閾値であって、前記ユーザ機器（２４）が前記相対閾値を使用して、前記ターゲット・セルの測定量と参照セルの測定量とを比較することにより、前記ターゲット・セルのダウンリンク測定アクティビティ・レベルを判定することが可能となるような前記相対閾値を、前記ユーザ機器にシグナリングするステップ（５２）を含むことを特徴とする方法。
【請求項２】
前記参照セルは、前記ユーザ機器（２４）が現在キャンプ・オンしている又は接続されているサービング・セル（１２）である、請求項１に記載の方法。
【請求項３】
前記参照セルは、既知の参照信号のダウンリンク品質又は信号強度の点で最良のセルである、請求項１に記載の方法。
【請求項４】
前記相対閾値は、アイドル・モードの前記ユーザ機器（２４）に送信される、請求項１乃至３のいずれか一項に記載の方法。
【請求項５】
前記相対閾値は、アクティブ・モードの前記ユーザ機器（２４）に送信される、請求項１乃至３のいずれか一項に記載の方法。
【請求項６】
前記１つ又は複数の相対閾値は、マルチ・レベル閾値である、請求項１乃至５のいずれかに記載の方法。
【請求項７】
前記ユーザ機器が通常の強度又は高い強度でダウンリンク測定を実行することが可能な最大隣接セル数を表すパラメータを前記ユーザ機器にシグナリングするステップを更に含む、請求項１に記載の方法。
【請求項８】
ユーザ機器（２４）において、ターゲット・セルに対してダウンリンク測定を実行すべきかどうかを判定する方法であって、
無線ネットワークから前記ターゲット・セルと参照セルとの相対的な性能差に対応する１つ又は複数の相対閾値を受信するステップ（６０）と、
前記相対閾値を使用して、前記ターゲット・セルの測定量と前記参照セルの測定量とを比較することにより、前記ターゲット・セルのダウンリンク測定アクティビティ・レベルを判定するステップ（６４）と、
を含むことを特徴とする方法。
【請求項９】
前記参照セルは、前記ユーザ機器（２４）が現在キャンプ・オンしている又は接続されているサービング・セル（１２）である、請求項８に記載の方法。
【請求項１０】
前記参照セルは、既知の参照信号のダウンリンク品質又は信号強度の点で最良のセルである、請求項８に記載の方法。
【請求項１１】
前記相対閾値は、アイドル・モードの前記ユーザ機器（２４）によって受信される、請求項８乃至１０のいずれかに記載の方法。
【請求項１２】
前記相対閾値は、アクティブ・モードの前記ユーザ機器（２４）によって受信される、請求項８乃至１０のいずれかに記載の方法。
【請求項１３】
前記ユーザ機器（２４）は、前記１つ又は複数の相対閾値をマルチ・レベル閾値として受信する、請求項８乃至１２のいずれかに記載の方法。
【請求項１４】
前記ユーザ機器（２４）は、比較された前記ターゲット・セルの測定量が前記参照セルの測定量よりも前記相対閾値だけ低い場合は、前記ターゲット・セルの前記ダウンリンク測定アクティビティ・レベルを低下させる、請求項８乃至１３のいずれかに記載の方法。
【請求項１５】
前記ユーザ機器（２４）は、比較された前記ターゲット・セルの測定量が前記参照セルの測定量と等しい場合、又は前記参照セルの測定量よりも前記相対閾値だけ高い場合は、前記ターゲット・セルの通常のダウンリンク測定アクティビティ・レベルに復帰する、請求項８乃至１３のいずれか一項に記載の方法。
【請求項１６】
ユーザ機器がターゲット・セルに対してダウンリンク測定を実行すべきかどうかを判定することが可能となるようにするための測定閾値を前記ユーザ機器にシグナリングするように適合された無線ネットワーク・ノードであって、請求項１乃至７のいずれか一項に記載の方法を実行する手段を備える無線ネットワーク・ノード。
【請求項１７】
無線ネットワークから測定閾値を受信し、それらの測定閾値を使用してターゲット・セルに対してダウンリンク測定を実行すべきかどうかを判定するように適合されたユーザ機器（２４）であって、請求項８乃至１５のいずれか一項に記載の方法を実行する手段を備えるユーザ機器。
【請求項１８】
セルラー電気通信システムのユーザ機器においてダウンリンク測定を実行する方法であって、
前記セルラー・システムの複数の各ターゲット・セル毎に、
前記ターゲット・セルと参照セルとの相対的な性能差を判定するステップと、
前記ターゲット・セルと前記参照セルとの前記相対的な性能差に基づいて、前記ターゲット・セルのダウンリンク測定アクティビティ・レベルを設定するステップと、
を含むことを特徴とする方法。
【請求項１９】
前記参照セルは、サービング・セルである、請求項１８に記載の方法。
【請求項２０】
前記参照セルは、最も強いセルである、請求項１８に記載の方法。
【請求項２１】
前記ターゲット・セルと前記参照セルとの相対的な性能差を判定する前記ステップは、前記性能差が閾値を超えるかどうかを判定するステップを含む、請求項１８に記載の方法。
【請求項２２】
前記閾値を、前記セルラー通信システムのネットワーク・ノードからのシグナリングの際に受信するステップを更に含む、請求項２１に記載の方法。
【請求項２３】
前記閾値は、前記ユーザ機器に記憶される、請求項２１に記載の方法。
【請求項２４】
前記ターゲット・セルの前記ダウンリンク測定アクティビティ・レベルは、測定を実行する測定期間を含む、請求項１８に記載の方法。
【請求項２５】
請求項１８乃至２４のいずれか一項に記載の方法に係るダウンリンク測定を実行するように適合されたユーザ機器。
【国際調査報告】
2010538555.tif 000006
2010538555.tif 000007
2010538555.tif 000008